(57)【要約】  電子的記録媒体に保存された書籍データは、著作権として保護される必要性があることが多いが、現実において、不法な無断複製あるいはハッキングがたやすくなされており、電子的記録媒体に含まれた書籍データの著作権的保護は不十分である。本発明はメディア・コンテンツを保存する保安機能を有する記録媒体と、この記録媒体に保存されたデータを出力する出力装置とが開示し、該データ記録媒体は、メモリ部に保存されたメディア・コンテンツの出力装置への伝送を制御するために、接続部のピン位置及びメモリ部でのメディア・コンテンツの保存位置のうち少なくとも一つを変換する制御部を具備する。
2013510345.tif 000002
【特許請求の範囲】
【請求項１】
メディア・コンテンツを保存するメモリ部と、
前記メディア・コンテンツを出力する出力装置と電気的に接続するための接続部と、
前記メモリ部に保存されたメディア・コンテンツの前記出力装置への伝送を制御するために、前記接続部のピン位置、及び前記メモリ部での前記メディア・コンテンツの保存位置のうち少なくとも一つを変換する制御部と、を具備するデータ記録媒体。
【請求項２】
前記制御部は、前記出力装置の認証が成功した場合、前記メモリ部に保存されたメディア・コンテンツの伝送を制御することを特徴とする請求項１に記載のデータ記録媒体。
【請求項３】
前記メモリ部は、前記出力装置に係わる少なくとも１つの固有番号を保存し、前記制御部は、前記出力装置から提供される固有番号と、前記保存された固有番号とを比較し、前記出力装置の認証を行うことを特徴とする請求項１に記載のデータ記録媒体。
【請求項４】
前記メモリ部は、一度だけ保存が可能な少なくとも１つのＯＴＰ（one-time programmable）メモリを含むことを特徴とする請求項１に記載のデータ記録媒体。
【請求項５】
前記メモリ部は、少なくとも１つの１Ｄ１Ｒ（one diode one resister）メモリを含むことを特徴とする請求項１に記載のデータ記録媒体。
【請求項６】
前記接続部のピン位置、及び前記メモリ部での前記メディア・コンテンツの保存位置は、前記メモリ部に保存された固有番号を利用して生成されるキーデータに変換されることを特徴とする請求項１に記載のデータ記録媒体。
【請求項７】
前記制御部は、
前記出力装置から提供される固有番号と、前記メモリ部に保存された固有番号とを比較して認証を行い、前記出力装置が認証された場合、イネーブル信号を生成するメモリ制御部と、
前記イネーブル信号によって動作し、前記接続部のピン位置、及び前記メモリ部での前記メディア・コンテンツの保存位置のうち少なくとも一つを変換し、前記メモリ部に保存されたメディア・コンテンツに係わる保安機能を提供する保安制御部と、を含むことを特徴とする請求項１に記載のデータ記録媒体。
【請求項８】
前記接続部のピン位置、及び前記メモリ部での前記メディア・コンテンツの保存位置は、前記メモリ部に保存された固有番号を利用して生成されるキーデータに変換されることを特徴とする請求項１に記載のデータ記録媒体。
【請求項９】
前記メモリ制御部は、前記メモリ部で、前記出力装置に係わる少なくとも１つの固有番号が保存される領域は、さらなる書き込み／読み取りが行われないように制御することを特徴とする請求項１に記載のデータ記録媒体。
【請求項１０】
少なくとも１枚のパネルと、
前記パネルに設けられ、請求項１ないし請求項９のうち、いずれか１項に記載のデータ記録媒体が挿入される挿入部と、
前記パネルに設けられ、前記データ記録媒体に保存されたデータを外部に出力する少なくとも１つのディスプレイ部と、を具備する出力装置。
【請求項１１】
前記パネルは、音響の出力のためのスピーカ及びイヤホン挿入口をさらに含むことを特徴とする請求項１０に記載の出力装置。
【請求項１２】
前記挿入部は、前記パネルの外面または側面に設けられ、その内部には、前記データ記録媒体との電気的接続のための多数のピンが設けられたことを特徴とする請求項１０に記載の出力装置。
【請求項１３】
前記パネルは、外部機器との通信のための通信ポートをさらに具備したことを特徴とする請求項１０に記載の出力装置。
【発明の詳細な説明】
【技術分野】
【０００１】
本発明は、メディア・コンテンツを保存する記録媒体、及びその記録媒体に保存されたデータを出力する出力装置に関する。
【背景技術】
【０００２】
最近、教科書、学習誌、辞典及び小説のような書籍がペーパー本だけではなく、電子的記録媒体を介しても供給されている。すなわち、電子的記録媒体、例えば、メモリカードに書籍データを保存させた後、このメモリカードに保存された書籍データを携帯用ディスプレイ機器を介して示すことによって、ユーザがそのディスプレイ機器を介して、書籍の内容を読んだり見たりことができるようにするのである。
【０００３】
ところで、電子的記録媒体に保存された書籍データは、著作権として保護される必要性があるものが多いが、現実において、不法な無断複製あるいはハッキングがたやすくなされているが、電子的記録媒体に保存された書籍データの著作権的保護は、不十分であるという実情である。一方、かような著作権的保護は、ただ書籍データだけではなく、映像データまたはオーディオデータを含む全体メディア・コンテンツにわたって切実に要求されている。
【発明の概要】
【発明が解決しようとする課題】
【０００４】
本発明は、書籍データ、映像データまたはオーディオデータのようなメディア・コンテンツを保存しつつ、保安機能を有する記録媒体と、この記録媒体に保存されたデータを出力する出力装置とが提供されるものである。
【課題を解決するための手段】
【０００５】
本発明の一側面（aspect）によれば、メディア・コンテンツを保存するメモリ部と、前記メディア・コンテンツを出力する出力装置と電気的に接続するための接続部と、前記メモリ部に保存されたメディア・コンテンツの前記出力装置への伝送を制御するために、前記接続部のピン位置、及び前記メモリ部での前記メディア・コンテンツの保存位置のうち少なくとも一つを変換する制御部と、を具備するデータ記録媒体が提供される。
【０００６】
前記制御部は、前記出力装置の認証が成功した場合、前記メモリ部に保存されたメディア・コンテンツの伝送を制御することができる。
【０００７】
前記メモリ部は、前記出力装置に係わる少なくとも１つの固有番号を保存し、前記制御部は、前記出力装置から提供される固有番号と、前記保存された固有番号とを比較して認証を行うことができる。
【０００８】
前記メモリ部は、一度だけ保存が可能な少なくとも１つのＯＴＰ（one-time programmable）メモリを含んでもよい。
【０００９】
前記メモリ部は、少なくとも１つの１Ｄ１Ｒ（one diode one resister）メモリを含んでもよい。
【００１０】
前記制御部は、前記出力装置から提供される固有番号と、前記メモリ部に保存された固有番号とを比較して認証を行い、前記出力装置が認証された場合、イネーブル信号を生成するメモリ制御部と、前記イネーブル信号によって動作し、前記接続部のピン位置、及び前記メモリ部での前記メディア・コンテンツの保存位置のうち少なくとも一つを変換し、前記メモリ部に保存されたメディア・コンテンツに係わる保安機能を提供する保安制御部と、を含んでもよい。
【００１１】
前記接続部のピン位置、及び前記メモリ部での前記メディア・コンテンツの保存位置は前記メモリ部に保存された固有番号を利用して生成されるキーデータに変換されてもよい。
【００１２】
前記メモリ制御部は、前記メモリ部で前記出力装置に係わる少なくとも１つの固有番号が保存される領域は、さらなる書き込み／読み取りが行われないように制御することができる。
【００１３】
本発明の他の側面によれば、少なくとも１つのパネルと、前記パネルに設けられ、データ記録媒体が挿入される挿入部と、前記パネルに設けられ、前記データ記録媒体に保存されたデータを外部に出力する少なくとも１つのディスプレイ部と、を具備する出力装置を提供する。
【００１４】
前記パネルは、音響の出力のためのスピーカ及びイヤホン挿入口をさらに含んでもよい。
【００１５】
前記挿入部は、前記パネルの外面または側面に設けられ、その内部には、前記データ記録媒体との電気的接続のための多数のピンが設けられてもよい。
【００１６】
前記パネルは、外部機器との通信のための通信ポートをさらに具備することができる。
【発明の効果】
【００１７】
本発明によれば、書籍データ、映像データまたはオーディオデータのようなメディア・コンテンツを、一回のみ保存の可能なＯＴＰメモリに保存し、自体的に保安機能を有した制御部を具備することによって、記録媒体に保存されたデータの無断複製またはハッキングを、さらに信頼性あるように防止することができ、ハードウェアの追加を最小化しつつも、保存されたデータに対する著作権的保護が忠実になされる。
【図面の簡単な説明】
【００１８】
【図１】本発明の一実施形態によるデータ記録媒体を図示した斜視図である。
【図２】図１に図示された記録媒体の構成を示す図面である。
【図３】本発明の他の実施形態によるデータ記録媒体を図示した斜視図である。
【図４】図３に図示された記録媒体の構成を示す図面である。
【図５】図１及び図３に図示された記録媒体に保存されたデータを外部に示す出力装置の例を図示した斜視図である。
【図６】図２及び図４に図示された保安制御部の細部構成を示す図面である。
【図７】図６の入出力位置変換部の具現例を示す図面である。
【図８】図２及び図４に図示されたメモリ制御部の動作を説明するフローチャートである。
【発明を実施するための形態】
【００１９】
以下、添付された図面を参照しつつ、本発明の実施形態について詳細に説明する。しかし、以下に例示された実施形態は、本発明の範囲を限定するものではなく、本発明を、当該技術分野で当業者に十分に説明するために提供されるのである。以下の図面で同じ参照符号は、同じ構成要素を指し、図面上で各構成要素の大きさは、説明の明瞭性及び便宜性のために誇張されていることがある。
【００２０】
図１は、本発明の一実施形態によるデータ記録媒体を図示した斜視図である。
【００２１】
図１を参照すれば、電子的記録媒体１１０は、著作権的保護が必要な教科書、学習誌、辞典及び小説のような書籍データ、映画のような映像データ、または音楽のようなオーディオデータを保存するためのものである。電子的記録媒体１１０は、出力装置５００（図５）に接続されることによって、記録媒体１１０に保存された書籍データ、映像データまたはオーディオデータのようなメディア・コンテンツは、出力装置５００のディスプレイ部５２７（図５）またはスピーカ５２１（図５）を介して、ユーザが読んだり見たり聞いたりすることができるように外部に表示されるのである。
【００２２】
記録媒体１１０は、カード状であり、その表面には、保存された書籍データ及び／または映像データ及び／またはオーディオデータの内容を識別することができるように、題目表示部１３０がさらに設けられてもよい。
【００２３】
記録媒体１１０は、出力装置５００に電気的に接続させるための、記録媒体１１０の表面に露出されるように設けられた多数のピン１５０を含んでもよい。多数のピン１５０は、記録媒体１１０の前面に露出されていると図示されているが、記録媒体１１０の背面に露出されるように設けられてもよい。ここで、多数のピン１５０は、コンタクト概念を含んでもよい。
【００２４】
ここで、記録媒体１１０は、電子ブック（ｅ−book）、モバイルホン（mobile phone）、ＭＰ３プレイヤ、ＰＭＰ（portable media player）、ナビゲーション（navigation）、ソリッドステートドライブ（ＳＳＤ：solid state drive）のような多様な携帯用機器に、着脱式で接続されたり、スロットを介して挿入されたりする。
【００２５】
図２は、図１に図示された記録媒体の構成を示す図面である。
【００２６】
図２を参照すれば、記録媒体１１０は、出力装置５００に係わる少なくとも１つの固有番号と、メディア・コンテンツのようなデータとを保存するメモリ部２１０、制御部２３０、及び出力装置５００（図５）との接続のための接続部２５０を含んでもよい。
【００２７】
メモリ部２１０は、一回だけ保存が可能な少なくとも１つのＯＴＰ（one-time programmable）メモリ２１３からなり、ここに書籍データ、映像データ及び／またはオーディオデータが保存される。一方、メモリ部２１０は、ＯＴＰメモリ２１３内の別途の領域や、さらなるＯＴＰメモリ２１１を具備し、出力装置に係わる少なくとも１つの固有番号が保存される。出力装置に係わる少なくとも１つの固有番号が保存される別途の領域や、さらなるＯＴＰメモリ２１１は、外部から書き込み及び読み取りが不可能なように制御される。メモリ部２１０は、フラッシュメモリまたは１Ｄ１Ｒ（one diode one resistor）メモリによって具現されるが、必ずしもこれに限定されるものではない。１Ｄ１Ｒメモリを、使用時には占める領域を最小化しつつ、ロジックプロセスが簡単なだけではなく、優秀な互換性を得ることができる。
【００２８】
制御部２３０は、メモリ部２１０に保存されたメディア・コンテンツの出力装置５００への伝送を制御するために、メモリ部２１０から読み取られるメディア・コンテンツが出力される接続部２５０のピン位置、及びメモリ部２１０でのメディア・コンテンツの保存位置のうち少なくとも一つを変換する。制御部２３０は、保安制御部２３１とメモリ制御部２３３とを含んでもよい。メモリ制御部２３３は、出力装置５００から提供される固有番号と、メモリ部２１０に保存された固有番号とを比較して認証を行い、出力装置５００が認証された場合、イネーブル信号を生成する。保安制御部２３１は、メモリ制御部２３３で生成されるイネーブル信号によって動作し、接続部２５０のピン位置、及びメモリ部２１０でのメディア・コンテンツの保存位置のうち少なくとも一つを変換し、メモリ部２１０に保存されたメディア・コンテンツに係わる保安機能を提供する。
【００２９】
具体的には、メモリ制御部２３３は、記録媒体１１０が出力装置５００に接続され、接続された後で電源ボタンがオンになってパワーアップ状態になれば、出力装置５００から、出力装置５００に割り当てられている固有番号を受信する一方、メモリ部２１０から、固有番号を読み取る。メモリ制御部２３３は、受信された固有番号と、読み取られた固有番号とを比較し、同一であるならば、出力装置５００が記録媒体１１０にアクセス可能なように認証されたことを意味する。すなわち、出力装置５００が認証されたものである場合、記録媒体１１０から出力装置５００に、メディア・コンテンツを読み取るために、保安制御部２３１をイネーブルにする。一方、メモリ制御部２３３は、受信された固有番号と、読み取られた固有番号とを比較し、同一でなければ、出力装置５００が記録媒体１１０にアクセス可能なように認証されていないことを意味する。すなわち、出力装置５００が認証されていないものである場合、記録媒体１１０から出力装置５００に、メディア・コンテンツの読み取りを防止するために、接続部２５０をディセーブルにする。記録媒体１１０は、少なくとも一つ以上の固有番号を保存することによって、少なくとも一つ以上の出力装置にメディア・コンテンツを出力することができる。
【００３０】
一方、メモリ制御部２３３は、出力装置５００が認証されたものである場合、出力装置５００から信号を受信し、受信された信号に対応して、メモリ部２１０に保存されたデータが、出力装置５００に伝送されるように制御する。このように、記録媒体１１０から出力装置５００に伝送されたデータは、出力装置５００のディスプレイ部５２７またはスピーカ５２１を介して、見たり聞いたりすることが可能である。
【００３１】
接続部２５０は、記録媒体１１０を出力装置５００に電気的に接続させるためのものであるが、多数のピン１５０によって具現可能である。
【００３２】
前記のように、記録媒体１１０は、書籍データ、映像データ及び／またはオーディオデータのようなメディア・コンテンツを、一回のみ保存が可能なＯＴＰメモリ２１３に保存し、自体的に保安機能を有した制御部２３０を具備することによって、記録媒体１１０に保存されたデータの無断複製またはハッキングを、さらに信頼性あるように防止することができる。
【００３３】
また、記録媒体１１０は、メモリ制御部２３３で出力装置５００の認証を行い、認証された出力装置５００に対してのみ、メモリ部２１０からメディア・コンテンツがアクセスされるようにすることにより、記録媒体１１０に保存されたデータに係わる著作権的保護がさらに忠実になされるのである。
【００３４】
図３は、本発明の他の実施形態によるデータ記録媒体を図示した斜視図である。
【００３５】
図３を参照すれば、記録媒体３１０は、図１と同様に、題目表示部３３０及び多数のピン３５０を含み、小型ディスプレイ部３７０をさらに含んでもよい。小型ディスプレイ部３７０は、記録媒体３１０の表面に設置され、メモリ部４１０（図４）に保存されたメディア・コンテンツの一部、例えば、書籍の特徴やあらすじ、映画予告編または音楽の歌詞などを示すためのものであり、記録媒体３１０のユーザの選択を手助けする役割を行う。
【００３６】
記録媒体３１０の表面には、小型ディスプレイ部３７０に付け加え、小型ディスプレイ部３７０の作動のための操作ボタン３９０が設けられてもよい。
【００３７】
図４は、図３に図示された記録媒体の構成を示す図面である。
【００３８】
図４を参照すれば、記録媒体３１０は、図２と同様に、メモリ部４１０、制御部４３０及び接続部４５０を含み、制御部４３０は、小型ディスプレイ部３７０の作動を制御するための出力制御部４３５と、小型ディスプレイ部３７０用電源として、小型バッテリ３９０が設けられてもよい。ここで、図４に図示されたメモリ部４１０、制御部４３０の保安制御部４３１・メモリ制御部４３３や接続部４５０は、図２に図示されたところと同一であるので、これに係わる詳細な説明は省略する。
【００３９】
図５は、図１及び図３に図示された記録媒体に保存されたデータを外部に出力する出力装置を図示した斜視図である。
【００４０】
図５を参照すれば、出力装置５００は、少なくとも１枚のパネル５２０を含み、このとき、ヒンジ結合されて、開閉可能な複数枚のパネルを含んでもよい。パネル５２０には、少なくとも１つのディスプレイ部５２７が設けられ、ディスプレイ部５２７を作動させるための操作ボタン５２９が設けられてもよい。
【００４１】
パネル５２０の外面には、記録媒体５１０が挿入される挿入部５２８が設けられ、挿入部５２８の内部には、多数のピンが設けられている。挿入部５２８の内部に記録媒体５１０が挿入されたとき、挿入部５２８内部のピンは、記録媒体５１０のピンと互いに接触することによって、記録媒体５１０と出力装置５００との電気的接続がなされる。一方、記録媒体５１０が挿入される挿入部５２８は、パネル５２０の側面に設けられもする。ここで、挿入部５２８は、カード状の記録媒体５１０である場合、スロット形態でなり、一般的なメモリ形態である場合、着脱式でなされることも可能である。
【００４２】
一方、パネル５２０には、スピーカ５２１、イヤホン挿入口５２３、通信ポート５２５が設けられる。出力装置５００は、書籍データに対応するテキストデータを読み取り、朗読機能を有することができ、このとき、スピーカ５２１とイヤホン挿入口５２３とが利用される。また、スピーカ５２１とイヤホン挿入口５２３は、出力装置５００を介して、映画または音楽などを鑑賞するとき、音響の出力のためにも使われる。そして、通信ポート５２５は、外部機器と有線あるいは無線の通信をおこなうときに使われる。
【００４３】
図示されてはいないが、パネル５２０の内部には、メモリ部、出力装置５００を制御する制御部が設けられ、出力装置５００を作動させるための電源として、バッテリブロックが設置されもする。パネル５２０に備わるメモリ部は、何回も書き換えが可能な多数のＭＴＰ（many-times programmable）メモリチップからなってもよい。また、パネル５２０には、追加して外部メモリを使用できるように、メモリが挿入される挿入部がさらに設けられてもよい。
【００４４】
図６は、図２及び図４に図示された保安制御部２３１または４３１の細部構成を示す図面である。
【００４５】
図６を参照すれば、保安制御部２３１または４３１は、キー生成部６１０、アドレス変換部６３０、データ位置変換部６５０及び入出力位置変換部６７０を含んでもよい。さらに具体的に説明すれば、キー生成部６１０は、メモリ部２１０または４１０に保存された固有番号を利用してキーデータを生成する。ここで、固有番号を利用したキーデータは、ハッシュ関数（Hash function）を使用して生成される。キーデータ生成に使われる関数は、必ずしもこれに限定されるものではなく、多様な暗号化関数が適用されてもよい。一方、生成されたキーデータは、固定されたものではなく、周期的に更新されることによって、さらに高レベルの保安機能を提供することができる。
【００４６】
アドレス変換部６３０は、メモリ制御部２３３または４３３から提供される読み取りアドレスあるいは書き込みアドレスを、キー生成部６１０で生成されるキーデータを利用して変換する。ここで、任意のデータを利用したアドレス変換は、公知の多様な方法によって行われる。
【００４７】
データ位置変換部６５０は、メモリ部２１０または４１０から、アドレス変換部６３０で変換された読み取りアドレスに対応する位置のデータを読み取り、入出力位置制御部６７０に提供し、入出力位置制御部６７０を介して受信されたデータを、変換された書き込みアドレスに対応する位置に書き込むことによって、読み取りデータあるいは書き込みデータの位置変換が行われる。ここで、データ位置変換部６５０は、例えば、８ワードの６４ビットレジスタによって具現されてもよい。具体的には、データ位置変換部６５０は、メモリ部２１０または４１０から、アドレス変換部６３０で変換、すなわち、暗号化された読み取りアドレスに対応する位置のデータを読み取った後、読み取ったデータの暗号化された読み取りアドレスが、キーデータを利用して、逆変換、すなわち、復号化される。すなわち、メモリ部２１０または４１０から読み取られたり書き込まれたりするデータの位置が、キーデータにより変換されることによって、暗号化及び復号化の機能を実現することができる。
【００４８】
入出力位置変換部６７０は、キー生成部６１０で生成されるキーデータを利用し、接続部２５０または４５０の入出力ピンの位置を変換させる。ここで、入出力位置変換部６７０は、キー生成部６１０から提供されるキーデータをデコーディングするデコーディング・レジスタをさらに含んでもよい。すなわち、入出力ピンの位置が、キーデータによって変換されることによって、暗号化及び復号化の機能を実現することができる。
【００４９】
記録媒体の差別化された保安機能を提供するために、データ位置変換部６５０と入出力位置変換部６７０とのうち、少なくとも一つを具備することも可能である。
【００５０】
図７は、図６の入出力位置変換部６７０の具現例を示す図面である。図７を参照すれば、図６のキー生成部６１０で、メモリ部２１０または４１０に保存された固有番号を利用し、Ａ＜０：３＞、Ｂ＜０：３＞、Ｃ＜０：３＞、Ｄ＜０：３＞のようなキーデータを生成し、入出力位置変換部６７０は、各キーデータをスイッチング素子の制御信号として使用することによって、接続部２５０または４５０の入出力ピンの信号接続経路が再構成される。
【００５１】
図８は、図２及び図４に図示されたメモリ制御部２３３または４３３の動作を説明するフローチャートである。
【００５２】
図８を参照すれば、８１０段階では、記録媒体を出力装置に接続し、パワーアップ状態にする。パワーアップ状態は、出力装置に記録媒体が接続されることのみでなるか、あるいは出力装置に記録媒体が接続された後、別途の電源ボタンを作動させてなされる。
【００５３】
８２０段階では、出力装置から記録媒体に固有番号を伝送する。ここで、固有番号は、出力装置に割り当てられる製品番号、あるいは機種を示す番号になるが、必ずしもそれらに限定されるものではない。
【００５４】
８３０段階では、記録媒体で、出力装置から伝送された固有番号と、記録媒体に保存している少なくとも１つの固有番号とを比較する。
【００５５】
８４０段階では、記録媒体で、出力装置から伝送された固有番号と、記録媒体に保存している少なくとも１つの固有番号とが同一であるか否かを判断する。
【００５６】
８５０段階では、記録媒体で、出力装置から伝送された固有番号と、記録媒体に保存している少なくとも１つの固有番号とが同じである場合、該当出力装置は、記録媒体からメディア・コンテンツを出力することができるという認証を受けたものであるので、記録媒体をイネーブル（enable）状態にする。具体的には、メモリ制御部２３３または４３３は、イネーブル信号を生成し、記録媒体の保安制御部２３１または４３１に提供する。これにより、記録媒体に保存されたメディア・コンテンツが、保安機能を有しつつ出力装置に伝送される。
【００５７】
８６０段階では、記録媒体で、出力装置から伝送された固有番号と、記録媒体に保存している少なくとも１つの固有番号とが同一ではない場合、当該出力装置は、記録媒体からメディア・コンテンツを出力することができるという認証を受けていないものであるから、記録媒体をディセーブル（disable）状態にする。具体的には、メモリ制御部２３３または４３３は、ディセーブル信号を生成して接続部２５０または４５０に提供し、あらゆるピンがフローティング（floating）状態になる。これにより、記録媒体に保存されたメディア・コンテンツの外部機器への伝送、または外部機器からのデータ受信が不可能になる。
【００５８】
８７０段階では、出力装置へのデータ伝送のためのスタンバイ状態、または記録媒体または出力装置の交替のためのスタンバイ状態となる。
【００５９】
前記の説明で、多くの事項について具体的に記載されているが、それらは、発明の範囲を限定するものとするより、具体的な実施形態の例示として解釈されねばならない。例えば、本発明が属する技術分野で当業者であるならば、図１及び図３の構造は、多様に変形可能であると理解することができ、その動作方法も、多様に変化可能であることを理解するであろう。よって、本発明の範囲は、説明された実施形態によって定められるものではなく、特許請求の範囲に記載された技術的思想によって定められるものである。
【符号の説明】
【００６０】
１１０  電子的記録媒体
１３０、３３０  題目表示部
１５０、３５０  ピン
２１０、４１０  メモリ部
２１１  メモリ
２１３  ＯＴＰメモリ
２３０、４３０  制御部
２３１、４３１  保安制御部
２３３、４３３  メモリ制御部
２５０、４５０  接続部
３１０、５１０  記録媒体
３７０  小型ディスプレイ部
３９０  小型バッテリ
４３５  出力制御部
５００  出力装置
５２０  パネル
５２１  スピーカ
５２３  イヤホン挿入部
５２５  通信ポート
５２７  ディスプレイ部
５２８  挿入部
５２９  操作ボタン
６１０  キー生成部
６３０  アドレス変換部
６５０  データ位置変換部
６７０  入出力位置変換部
【図１】
2013510345.tif 000003
【図２】
2013510345.tif 000004
【図３】
2013510345.tif 000005
【図４】
2013510345.tif 000006
【図５】
2013510345.tif 000007
【図６】
2013510345.tif 000008
【図７】
2013510345.tif 000009
【図８】
2013510345.tif 000010
【国際調査報告】
2013510345.tif 000011
2013510345.tif 000012
2013510345.tif 000013
2013510345.tif 000014